(57)【要約】【課題】  メモリカードが機器の内部に入り込んでしまうことを防止した複合プリンタ装置を提供する。【解決手段】  複合プリンタ装置は、筐体１と、カード挿入口３１ｂの上端に沿うように配置された電気回路基板２と、電気回路基板２の下側の表面に配置され、メモリカードと電気回路とを接続するためのコネクタ３ｂと、コネクタ３ｂの下側に形成された遮蔽板１０とを備える。コネクタ３ｂは、電気回路基板２の長手方向とほぼ垂直な方向に延びるように形成され、遮蔽板１０は、コネクタ３ｂに対向する領域にコネクタ３ｂが延びる方向に沿って形成された切り起し部２１を含み、切り起し部２１は、遮蔽板１０とコネクタ３ｂとの間にメモリカードが挿入されないように形成されている。【選択図】        図１
2006069007.tif 000002
【特許請求の範囲】
【請求項１】
メモリカードを挿入するためのカード挿入口を含む筐体と、
前記カード挿入口の上端に沿うように配置され、前記筐体の内側に向かって延びるように形成された電気回路基板と、
前記電気回路基板の下側の表面に配置され、前記メモリカードと電気回路とを接続するためのコネクタと、
前記コネクタの下側に、主表面が前記電気回路基板の主表面とほぼ平行になるように形成された遮蔽板と
を備え、
前記コネクタは、前記電気回路基板の長手方向とほぼ垂直な方向に延びるように形成され、
前記遮蔽板は、前記コネクタに対向する領域に前記コネクタが延びる方向に沿って形成された切り起し部を含み、
前記切り起し部は、前記遮蔽板と前記コネクタとの間に前記メモリカードが挿入されないように形成された、複合プリンタ装置。
【請求項２】
メモリカードを挿入するためのカード挿入口を含む筐体と、
前記メモリカードに電気的に接続されるべき電気回路基板と、
前記電気回路基板の表面に形成され、前記メモリカードを電気的に接続するためのコネクタと、
前記電気回路基板の前記コネクタが形成されている側と同じ側に配置され、主表面が前記電気回路基板の表面とほぼ平行になるように形成された遮蔽板と
を備え、
前記遮蔽板は、前記コネクタの延びる方向に沿って形成された切り起し部を含む、電気機器。
【請求項３】
前記切り起し部は、前記コネクタと対向する領域に形成された、請求項２に記載の電気機器。
【発明の詳細な説明】
【技術分野】
【０００１】
本発明は、電気機器および複合プリンタ装置に関する。
【背景技術】
【０００２】
近年、電子情報を読み書きすることができるカード型記録媒体としてメモリカードが普及している。メモリカードには画像などの電子情報を記録することができるため、パーソナルコンピュータ、テレビジョン受像機およびプリンタなどの電気機器に備えられている。電気機器には、メモリカードを接続するためのメモリカードスロットが形成されている。
【０００３】
メモリカードは、複数の種類を有する。たとえば、コンパクトフラッシュ（登録商標）や、スマートメディア、メモリスティックなどがメモリカードとして挙げられる。これらのメモリカードの種類は、製造者によって決められている。近年においては、多種のメモリカードに対応することができるように、複数のカード接続手段を含むメモリカードスロットが電気機器に形成されている。
【０００４】
図４に、メモリカードスロットを備える電気機器の例としての複合プリンタ装置の斜視図を示す。複合プリンタ装置は、メモリカードに記憶された写真などの画像を印刷するなどの多機能のプリンタである。図４に示す複合プリンタ装置は、スキャナとしての機能、パーソナルコンピュータなどからの信号により印刷を行なう印刷機としての機能、および、メモリカードに記憶された写真などの画像データを印刷する印刷機としての機能を備える。
【０００５】
複合プリンタ装置の上面には、開閉可能な原稿押え１６が配置され、原稿押え１６の下側には、画像読取部が形成されている。画像読取部は、ガラス１５の下側に配置され、ガラス１５を通して画像を読取ることができるように形成されている。原稿押え１６は、矢印４４に示すように、開閉可能に形成されている。
【０００６】
複合プリンタ装置の上面において、原稿押え１６の側方には、複合プリンタ装置を操作するための操作部３２が形成されている。操作部３２は、操作の案内などを行なうことができる液晶表示部や操作ボタンなどを含む。
【０００７】
複合プリンタ装置は、筐体１を含む。筐体１の正面には、印刷された紙を取出すことができるように排紙口１８が形成され、排紙口１８の下部から前側に向かって突出するように、用紙トレイ１７が形成されている。筐体の後側には給紙口が形成され、印刷が行なわれる用紙が給紙口から供給されるように形成されている（図示せず）。
【０００８】
筐体１の正面の上部には、メモリカードを接続するためのメモリカードスロットが形成されている。メモリカードスロットは、複数の種類のメモリカードを挿入するためのカード挿入口３１ａ，３１ｂを含む。この複合プリンタ装置には、２つのカード挿入口が形成されている。
【０００９】
図５に、図４におけるＡ部の拡大図を示す。カード挿入口３１ａ，３１ｂは、正面から見たときの横方向に延びるように形成されている。カード挿入口３１ａは、メモリカードのうちメモリスティックを挿入するための挿入口である。カード挿入口３１ｂは、メモリカードのうちコンパクトフラッシュ（登録商標）を挿入するための挿入口である。
【００１０】
図６に、図５におけるＸＩ−ＸＩ線に関する破断斜視図を示す。筐体１の内側には、カード挿入口３１ａの上端に沿うようにコネクタ３ａが形成されている。コネクタ３ａは、カード挿入口３１ａから挿入されたメモリスティックとの電気的な接続が行なえるように形成されている。
【００１１】
筐体１の内部には、カード挿入口３１ａの下端に沿って、板状部材４が配置されている。板状部材４は、凹部３３を含む。凹部３３は、挿入されるメモリスティックの外形に沿うように形成されている。すなわち、メモリスティックは、凹部３３に挿入され、コネクタ３ａと電気的に接続される。
【００１２】
板状部材４の下側には、電気回路基板２が配置されている。電気回路基板２の下側の主表面には、コンデンサなどの電気部品が配置されている（図示せず）。電気回路基板２の下側の主表面には、コンパクトフラッシュ（登録商標）を接続固定するためのコネクタ３ｂが形成されている。コネクタ３ｂは、棒状に形成され、長手方向がカード挿入口３１ｂの幅方向とほぼ平行になるように形成されている。コネクタ３ｂは、正面から複合プリンタ装置を見たときに、カード挿入口３１ｂを通してコネクタ３ｂを見ることができるように形成されている。
【００１３】
コネクタ３ｂの下側には、間隔をあけて遮蔽板１２が形成されている。遮蔽板１２は、電気回路基板から発生する電磁波を遮蔽したり、静電気による放電が生じて電気回路基板の回路が破壊されたりすることを防止する機能を有する。電気回路基板２の下側の主表面には電気部品が配置されているため、遮蔽板１２は、電気部品を覆うように電気回路基板２から距離をあけて配置されている。
【００１４】
このように、複合プリンタ装置などの電気機器には、複数の種類のメモリカードを挿入することができるようにメモリカードスロットが形成されているものがある。
【００１５】
特開２００４−１０３４０８号公報においては、メモリカードを挿脱自在に収容できる収容空間部を有し、不正なメモリカードの投入を阻止する誤挿入阻止手段が形成されたスロットコネクタが開示されている。この誤挿入阻止手段は、正常なメモリカードが収容されたときに収容空間部から後退する弾性部材片からなる１対の係止部材と、収容空間部において挿入方向の途中に配設され、係止部材に係合してコンタクトへの侵入を阻止するスライドバーを含む。このスロットコネクタによれば、カード収容空間部に不正なカードが侵入することを阻止することができると開示されている。
【００１６】
また、特開２０００−２９９８９号公報においては、メモリカードを案内するための１対のガイドレールと、メモリカードと電気的に接続するためのコネクタとを備え、ガイドレールの上方に天井板が形成されたカード収納装置が開示されている。このカード収納装置によれば、ＰＣカードの誤挿入時に、カードが装置内部へ落込むことを避けることができると開示されている。
【特許文献１】特開２００４−１０３４０８号公報
【特許文献２】特開２０００−２９９８９号公報
【発明の開示】
【発明が解決しようとする課題】
【００１７】
図６を参照して、遮蔽板１２の位置は、電気回路基板２の主表面に配置された電気部品の高さによって制約を受け、コネクタ３ｂと遮蔽板１２との間に隙間が形成されている。たとえば、上のカード挿入口３１ａに挿入されるべきメモリスティックが、下のカード挿入口３１ｂに挿入された場合、矢印４３に示すように、メモリスティック自体が曲がってしまい、コネクタ３ｂと遮蔽板１２との隙間から、複合プリンタ装置の内部に入り込んでしまうという問題があった。
【００１８】
メモリスティックの他のメモリカードについても同様に柔軟性を有するものがあり、メモリカードの誤挿入などにより、メモリカードが複合プリンタ装置の内部に入り込んでしまうという問題があった。メモリカードが複合プリンタ装置の内部に入り込んでしまった場合には、外側から回収することはできないため、複合プリンタ装置を分解しなければならないという問題があった。
【００１９】
特開２０００−２９９８９号公報に開示されたカード収納装置においては、装置内部にメモリカードが落込むこと防止するように、天井板が形成されている。しかしながら、このカード収納装置においては、カードが装置の内部へ落込むことを防止するために、新たな部材を形成して取付けなければならないという問題があった。すなわち、生産性が悪化するという問題があった。
【００２０】
本発明は、上記の問題点を解決するためになされたものであり、メモリカードが機器の内部に入り込んでしまうことを防止した、電気機器および複合プリンタ装置を提供することを目的とする。
【課題を解決するための手段】
【００２１】
上記目的を達成するため、本発明に基づく複合プリンタ装置は、メモリカードを挿入するためのカード挿入口を含む筐体と、上記カード挿入口の上端に沿うように配置され、上記筐体の内側に向かって延びるように形成された電気回路基板と、上記電気回路基板の下側の表面に配置され、上記メモリカードと電気回路とを接続するためのコネクタと、上記コネクタの下側に、主表面が上記電気回路基板の主表面とほぼ平行になるように形成された遮蔽板とを備える。上記コネクタは、上記電気回路基板の長手方向とほぼ垂直な方向に延びるように形成され、上記遮蔽板は、上記コネクタに対向する領域に上記コネクタが延びる方向に沿って形成された切り起し部を含み、上記切り起し部は、上記遮蔽板と上記コネクタとの間に上記メモリカードが挿入されないように形成されている。この構成を採用することにより、上記メモリカードが上記複合プリンタ装置の内部に入り込んで取出すことができなくなる不具合を防止した上記複合プリンタ装置を提供することができる。
【００２２】
上記目的を達成するため、本発明に基づく電気機器は、メモリカードを挿入するためのカード挿入口を含む筐体と、上記メモリカードに電気的に接続されるべき電気回路基板と、上記電気回路基板の表面に形成され、上記メモリカードを電気的に接続するためのコネクタと、上記電気回路基板の上記コネクタが形成されている側と同じ側に配置され、主表面が上記電気回路基板の表面とほぼ平行になるように形成された遮蔽板とを備え、上記遮蔽板は、上記コネクタの延びる方向に沿って形成された切り起し部を含む。この構成を採用することにより、上記メモリカードが上記電気機器の内部に入り込んで取出すことができなくなる不具合を防止した電気機器を提供することができる。
【００２３】
上記発明において好ましくは、上記切り起し部は、上記コネクタと対向する領域に形成されている。この構成を採用することにより、より確実に上記メモリカードが上記電気機器の内部に入り込んでしまうことを防止できる。
【発明の効果】
【００２４】
本発明によれば、メモリカードが電気機器の内部に入り込んでしまって取出すことができなくなる不具合を防止した、電気機器および複合プリンタ装置を提供することができる。
【発明を実施するための最良の形態】
【００２５】
（構成）
図１から図４を参照して、本発明に基づく複合プリンタ装置および電気機器について説明する。
【００２６】
図４に示すように、複合プリンタ装置において、上部に原稿押え１６が配置され、複数のメモリカードスロットが形成されている。筐体１の正面にカード挿入口３１ａ，３１ｂが形成されていることは、従来の技術に基づく複合プリンタ装置と同様である。
【００２７】
図１に、本形態における第１の複合プリンタ装置において、２つのカード挿入口が形成されている部分を切断したときの破断斜視図を示す。第１のカード挿入口としてのカード挿入口３１ａは、第１メモリカードとしてのメモリスティックを挿入するために形成され、第２のカード挿入口としてのカード挿入口３１ｂは、第２メモリカードとしてのコンパクトフラッシュ（登録商標）を挿入するために形成されている。
【００２８】
筐体１の内部には、カード挿入口３１ａの上端に沿うように、コネクタ３ａが形成されている。コネクタ３ａは、板状に形成され、筐体１の内部に向かうように形成されている。コネクタ３ａの下側の表面には、メモリスティックと電気的に接続するための電極部が形成されている（図示せず）。
【００２９】
筐体１の内部には、カード挿入口３１ａの下端に沿うように、板状部材４が形成されている。板状部材４は、板状に形成され、筐体１の内側に向かうように形成されている。板状部材４において、カード挿入口３１ａの近傍には、凹部３３が形成されている。凹部３３は、メモリスティックの外形に沿うように形成されている。
【００３０】
カード挿入口３１ａとカード挿入口３１ｂとの間において、板状部材４の下側には、電気回路基板２が形成されている。電気回路基板２の下側の主表面には、コンデンサや抵抗などの電気部品が配置されている。
【００３１】
電気回路基板２の下側の主表面には、カード挿入口３１ｂから挿入されるコンパクトフラッシュ（登録商標）と電気的な接続を行なうためのコネクタ３ｂが形成されている。コネクタ３ｂは、角柱状に形成され、長手方向がカード挿入口３１ｂが形成されている面とほぼ平行になるように配置されている。コネクタ３ｂは、カード挿入口３１ｂに向かう側にコンパクトフラッシュ（登録商標）と電気的な接続を行なうための電極部が形成されている。コネクタ３ｂは、カード挿入口３１ｂを正面から見たときに、コネクタ３ｂを見ることができるように形成されている。
【００３２】
コネクタ３ａ，３ｂは、それぞれのメモリカードスロットに挿入されたメモリカードと、筐体１の内部に配置された電気回路とを接続するために形成されている。
【００３３】
コネクタ３ｂの下側には、遮蔽板１０が配置されている。遮蔽板１０は平板状に形成され、電気回路基板２の表面から間隔をあけて配置されている。遮蔽板１０は、主表面が電気回路基板の主表面とほぼ平行になるように形成されている。遮蔽板１０は、電気回路基板２に対して、コネクタ３ｂが形成されている側と同じ側に配置されている。
【００３４】
遮蔽板１０は、電気回路基板２に形成された電気回路からノイズが外側に出ないように、また、静電気によって電気回路基板２に向かって放電が生じないように、金属の材料で形成されている。
【００３５】
本発明に基づく複合プリンタ装置においては、遮蔽板１０が切り起し部２１を含む。切り起し部２１は、コネクタ３ｂが形成されている側に向かう壁になるように形成されている。切り起し部２１は、遮蔽板１０の一部に切込みが入れられ、切込みが入れられた部分を起して形成されている。切り起し部２１は、主表面が遮蔽板１０の主表面に対して、ほぼ垂直になるように形成されている。
【００３６】
本形態の第１の複合プリンタ装置においては、切り起し部２１は、遮蔽板１０の主表面のコネクタ３ｂに対向する領域に形成されている。また、切り起し部２１は、コネクタ３ｂが延びる方向に沿って形成されている。切り起し部２１は、正面の形状が長方形になるように形成され、コネクタ３ｂの下端と切り起し部２１の上端とが、互いにほぼ平行になるように形成されている。
【００３７】
図２に、電気回路基板２と遮蔽板１０とを遮蔽板１０が配置されている側から見たときの下面図を示す。切り起し部が電気回路基板２に向けて形成されることにより、遮蔽板１０には、切欠き部２２が形成されている。切欠き部２２は、切り起し部２１とほぼ同じ形状を有し、第１の複合プリンタ装置においては、長方形になるように形成されている。第１の複合プリンタ装置においては、コネクタ３ｂを遮蔽板１０に向かって投影したときに影になる投影領域２５に切欠き部２２が形成されている。
【００３８】
図３に、本形態における第２の複合プリンタ装置の破断斜視図を示す。第２の複合プリンタ装置は、遮蔽板１１を含み、遮蔽板１１は、切り起し部２１を有する。切り起し部２１は、遮蔽板１１において、コネクタ３ｂと対向する領域とカード挿入口３１ｂとの間に形成されている。すなわち、正面から見たときに、コネクタ３ｂよりも切り起し部２１の方が手前に配置されるように形成されている。切り起し部２１は、コネクタ３ｂが形成されている側、すなわち上側に向かうように形成されている。その他の構成については、第１の複合プリンタ装置と同様である。
【００３９】
（作用・効果）
図１を参照して、第１メモリカードとしてのメモリスティックは、矢印４１に示すように、カード挿入口３１ａから挿入される。挿入されたメモリスティックは、凹部３３の形状に沿って挿入され、凹部３３の奥側の段差部と当接した位置で、電気的に接続されるとともに固定される。第２メモリカードとしてのコンパクトフラッシュ（登録商標）は、矢印４２に示すようにカード挿入口３１ｂから挿入される。コンパクトフラッシュ（登録商標）は、コネクタ３ｂと嵌合することにより、電気的に接続されるとともに固定される。
【００４０】
ここで、コンパクトフラッシュ（登録商標）よりも薄く柔軟性を有するメモリカードが、カード挿入口３１ｂに挿入された場合においても、コネクタ３ｂまたは切り起し部２１に当接することにより、遮蔽板１０とコネクタ３ｂとの間から、メモリスティックが複合プリンタ装置の内部に入り込んでしまうことを防止できる。
【００４１】
本発明においては、新たな部材を加えることなく、遮蔽板を加工することにより、メモリカードが複合プリンタ装置の内部に入り込んでしまうことを防止できる。本発明においては、遮蔽板の一部を加工するのみでよく、生産性が悪化することを抑制できる。
【００４２】
また、本形態における第１の複合プリンタ装置は、遮蔽板１０のうちコネクタ３ｂに対向する領域に切り起し部２１が形成されている。この構成を採用することにより、遮蔽板１０とコネクタ３ｂとの間の隙間を切り起し部２１が塞ぐことができ、より確実にメモリカードが複合プリンタ装置の内部に入り込んでしまうことを防止できる。
【００４３】
切り起し部の長さや形状については、特に制限はなく、メモリカードがメモリカードスロットに挿入されたときに、メモリカードが複合プリンタ装置の内部に入り込まないように形成されていればよい。また、本形態においては、切り起し部２１は、１つ形成されているが、特にこの形態に限られず、切り起し部２１が複数形成されていても構わない。
【００４４】
また、図３に示す第２の複合プリンタ装置のように、切り起し部２１が、遮蔽板１１のコネクタ３ｂと対向する領域の外側に形成されていても構わない。図３においては、コネクタ３ｂと切り起し部２１との距離が小さいため、メモリスティックなどのメモリカードが湾曲して、コネクタ３ｂと遮蔽板１１との間から複合プリンタ装置の内部に入り込むことを防止できる。
【００４５】
また、本実施の形態においては、電気回路基板の下側にコネクタが形成され、その下側に遮蔽板が形成されているが、特にこの形態に限られず、電気回路基板の上側にコネクタが配置され、その上側に遮蔽板が形成されていても構わない。この場合においては、切欠き部は、下側に向かって形成される。
【００４６】
本実施の形態においては、電気機器のうち、複合プリンタ装置を例に挙げて説明したが、特にこの形態に限られず、メモリカードを挿入して電気的に接続する機能を有する電気機器に、本発明を適用することができる。たとえば、パーソナルコンピュータ、テレビジョン受像機、またはデジタルカメラなどに本発明を適用することができる。たとえば、テレビジョン受像機の筐体にカード挿入口が形成され、本形態におけるメモリカードスロットが形成されることによって、本発明を適用することができる。
【００４７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４８】
【図１】本発明に基づく実施の形態における第１の複合プリンタ装置の破断斜視図である。
【図２】本発明に基づく実施の形態における第１の複合プリンタ装置において、遮蔽板と電気回路基板との下面図である。
【図３】本発明に基づく実施の形態における第２の複合プリンタ装置の破断斜視図である。
【図４】複合プリンタ装置の斜視図である。
【図５】複合プリンタ装置のメモリカードを挿入する部分の拡大図である。
【図６】従来の技術に基づく複合プリンタ装置の破断斜視図である。
【符号の説明】
【００４９】
１  筐体、２  電気回路基板、３ａ，３ｂ  コネクタ、４  板状部材、１０〜１２  遮蔽板、１５  ガラス、１６  原稿押え、１７  用紙トレイ、１８  排紙口、２１  切り起し部、２２  切欠き部、２５  投影領域、３１ａ，３１ｂ  カード挿入口、３２  操作部、３３  凹部、４１〜４４  矢印。
【図１】
2006069007.tif 000003
【図２】
2006069007.tif 000004
【図３】
2006069007.tif 000005
【図４】
2006069007.tif 000006
【図５】
2006069007.tif 000007
【図６】
2006069007.tif 000008